(57)【要約】【課題】  排水経路を確実に確保すると共に、火災時には、中空部に形成した排水経路を確実に塞いで、防火性能を向上させる。【解決手段】竪框に横框がいんろう接合されており、竪框は、内周面に横框のパネル間口に浸入した水が排水される排水孔を有するとともに、膨張材取付部材が固定されており、膨張材取付部材に火災時に膨張して排水孔を塞ぐ膨張材が配置されている。【選択図】  図４
2019190116.tif 000002
【特許請求の範囲】
【請求項１】
竪框に横框がいんろう接合されており、
竪框は、内周面に横框のパネル間口に浸入した水が排水される排水孔を有するとともに、膨張材取付部材が固定されており、膨張材取付部材に火災時に膨張して排水孔を塞ぐ膨張材が配置されている防火建具。
【発明の詳細な説明】
【技術分野】
【０００１】
本発明は、建物開口部に配置される防火建具に関する。
【背景技術】
【０００２】
建物開口部に配置される防火建具として、火災時に加熱膨張材によって下框に形成された水抜孔を塞ぐ防火建具が公知となっている。
【先行技術文献】
【特許文献】
【０００３】
【特許文献１】特許第６２５３８８３号公報
【発明の概要】
【発明が解決しようとする課題】
【０００４】
上記特許文献１の防火建具は、膨張材を配置したアタッチメントを、下框に形成した通孔に対してネジ等により固定しており、下框に形成された排水孔については考慮されているが、竪框に形成された排水孔については考慮されてはいなかった。また、アタッチメントを固定するために通孔を形成する必要があった。
【０００５】
本発明は、上記の事情を鑑み、竪框に形成された排水孔を塞ぐための加熱膨張材を容易に配置することができる防火建具を提供することを抑制することを目的とする。
【課題を解決するための手段】
【０００６】
本発明の一実施形態は、竪框に横框がいんろう接合されており、竪框は、内周面に横框のパネル間口に浸入した水が排水される排水孔を有するとともに、膨張材取付部材が固定されており、膨張材取付部材に火災時に膨張して排水孔を塞ぐ膨張材が配置されている防火建具である。
【発明の効果】
【０００７】
本発明の一実施形態の防火建具により、竪框に形成された排水孔を塞ぐための加熱膨張材を、容易に配置することができる。
【図面の簡単な説明】
【０００８】
【図１】本発明の一実施形態に係る防火建具の外観図である。
【図２】本発明の一実施形態に係る防火建具の竪断面図である。
【図３】本発明の一実施形態に係る防火建具の横断面図である。
【図４】本発明の一実施形態に係る防火建具の下框と左竪框の連結部の分解斜視図である。
【図５】本発明の一実施形態に係る防火建具の左竪框付近の下框部分の竪断面図であり、（ａ）は、加熱膨張材を配置していない状態、（ｂ）は加熱膨張材を配置している状態の図である。
【図６】本発明の一実施形態に係る防火建具に用いられる膨張材取付部材の図であり、（ａ）（ｂ）は斜視図、（ｃ）は正面図、（ｄ）は下方から見た図、（ｅ）は側面図である。
【図７】本発明の一実施形態に係る防火建具の下框と左竪框の連結部の斜視図である。
【図８】本発明の一実施形態に係る防火建具の下框と右竪框の連結部の分解斜視図である。
【図９】本発明の一実施形態に係る防火建具の右竪框付近の下框部分の竪断面図であり、（ａ）は、加熱膨張材を配置していない状態、（ｂ）は加熱膨張材を配置している状態の図である。
【図１０】本発明の一実施形態に係る防火建具に用いられる膨張材取付部材の図であり、（ａ）は斜視図、（ｂ）は正面図、（ｃ）は平面図、（ｄ）は側面図である。
【図１１】本発明の一実施形態に係る防火建具の下框と右竪框の連結部の斜視図である。
【発明を実施するための形態】
【０００９】
本発明の一実施形態の防火建具について、図面を参考にして説明する。
（全体の構成）
図１ないし３に示すように、本実施形態の防火建具は、上枠１１、下枠１２及び左、右竪枠１３，１４を四周に組んでなる枠体１の内周に上框２１、下框２２及び左、右竪框２３，２４を四周に組んで内周にガラス等のパネル体２５を嵌め込んでなる障子２を有している。
そして、上枠１１と上框２１との間及び下枠１２と下框２２との間に配置したフリクションバー等の機構により外開き自在に配置してなる外開き建具として構成されている。
【００１０】
枠体１を構成する上枠１１は、建物の躯体開口部の内周に配置される上枠本体部１１１と、上枠本体部１１１の室内側より下方に延設される室内側壁部１１２を有している。
室内側壁部１１２の室外側面の下端には、障子２の上框２１の室内側面に当接もしくは近接する気密材を取り付ける気密材取付部１１２ａが形成されており、気密材取付部１１２ａの上方（外周）位置には、加熱膨張材ホルダー１１２ｂが形成されている。
【００１１】
また、上枠本体部１１１の室外側端には、閉鎖時に障子２の上框２１の室外側部上端に当接もしくは近接する気密材を取り付ける気密材取付部１１１ａが形成されている。
【００１２】
枠体１を構成する下枠１２は、建物の躯体開口部の内周に配置される下枠本体部１２１と、下枠本体部１２１の室内側より立ち上がる中空部１２２を有している。
中空部１２２を構成する室外側壁１２２ａの室外側面の上端には、障子２の下框２２の室内側面に当接もしくは近接する気密材を取り付ける気密材取付部１２２ｓが形成されており、気密材取付部１２２ｓの下方（外周）位置には、加熱膨張材ホルダー１２２ｔが形成されている。
【００１３】
枠体１を構成する左竪枠１３は、建物の躯体開口部の内周に配置される左竪枠本体部１３１と、左竪枠本体部１３１の室内側より内周側に延びる室内側壁部１３２を有している。
室内側壁部１３２の室外側面の内周端には、障子２の左竪框２３の室内側面に当接もしくは近接する気密材を取り付ける気密材取付部１３２ａが形成されているとともに、気密材取付部１３２ａの外周位置には、加熱膨張材ホルダー１３２ｂが形成されている。
なお、枠体１を構成する右竪枠１４については、その構成は左竪枠１３とほぼ同様であるので、その説明は省略する。
【００１４】
障子２の上框２１は、中空部２１１ａを有する上框本体２１１と、上框本体２１１の室内側下面に取り付けられる押縁材２１２を有しており、上框本体２１１の中空部２１１ａの室外側下面から下方に延設された室外側間口壁部２１１ｂと押縁材２１２とによりパネル間口が形成されている。
【００１５】
障子２の下框２２は、中空部２２１ａを有する下框本体２２１と、下框本体２２１の室内側上面に取り付けられる押縁材２２２を有しており、下框本体２２１の中空部２２１ａの室外側上面から上方に延設された室外側間口壁部２２１ｂと押縁材２２２とによりパネル間口が形成されている。
【００１６】
障子２の左竪框２３は、中空部２３１ａを有する左竪框本体２３１と、左竪框本体２３１の室内側内周面に取り付けられる押縁材２３２を有しており、左竪框本体２３１の中空部２３１ａの室外側内周面から内周方向に延設された室外側間口壁部２３１ｂと押縁材２３２とによりパネル間口が形成されている。
左竪框本体２３１の中空部２３１ａの室外側端から外周方向に向かって室外側壁２３１ｃが延設されており、室外側壁２３１ｃの端部に左竪枠１３との間を気密する気密材が設けられている。
なお、障子２を構成する右竪框２４については、その構成は左竪框２３とほぼ同様であるので、その説明は省略する。
【００１７】
次に、本実施形態の防火建具の下框２２のパネル間口に侵入した結露水等を排水するための構成について、図４ないし１１を参考にして、説明する。
【００１８】
本実施形態の防火建具の障子２は、竪框に横框がいんろう接合されて框組されている。
障子２を構成する吊元側の左竪框２３及び戸先側の右竪框２４は、図４，図８に示すように、下端部内周面に、室外側の高い位置に一つと室内側の低い位置に一つの合計二か所にタッピングホール２３ａ，２４ａが形成されており、下端部外周面に、タッピングホール２３ａ，２４ａの位置に対応するように挿入孔２３ｂ，２４ｂが形成されている。
【００１９】
一方、障子２を構成する下框２２の中空部２２１ａ内には、左、右竪框２３，２４のタッピングホール２３ａ，２４ａに対応するようにタッピングホール２２ａ，２２ａが形成されている。そして、下框２２の左右端面が左、右竪框２３，２４の室外側間口壁部２３１ｂ，２４１ｂと押縁係止部２３１ｄ，２４１ｄとの間において下端部内周面に当接され、左、右竪框２３，２４の外周面から挿入孔２３ｂ，２４ｂを介して挿入されたタッピングビスｂ１が下框２２のタッピングホール２２ａ，２２ａに螺合されることで、左竪框２３及び右竪框２４と、下框２２とが連結されている。
【００２０】
そして、本実施形態の防火建具の下框２２においては、図５（ａ），図９（ａ）に示すように、下框２２の中空部２２１ａの上壁（パネル間口側壁）に長手方向に沿って凹溝２２１ｅが形成されているとともに、下框２２の端面が当接する左、右竪框２３，２４の下端部内周面に凹溝２２１ｅに対向するように排水孔２３ｃ，２４ｃが形成されている。これらの凹溝２２１ｅと排水孔２３ｃ，２４ｃとによって下框２２のパネル間口から左、右竪框２３，２４の中空部２３１ａ，２４１ａに続く排水経路が形成されており、下框２２のパネル間口に浸入した結露等の水を左、右竪框２３，２４の下端から排水することができる。
【００２１】
ここで、左、右竪框２３，２４の内周面に排水孔２３ｃ，２４ｃを形成することによって、火災時には、該排水孔２３ｃ，２４ｃを介して煙や可燃性のガス等が室内に浸入する可能性がある。そこで、本実施形態の防火建具においては、左、右竪框２３，２４の中空部２３１ａ，２４１ａに加熱膨張材６１，６２を配置して、火災時に排水孔２３ｃ，２４ｃを塞ぐことで、煙やガス等の侵入を抑制している。
【００２２】
左竪框２３に配置される加熱膨張材６１は、中空部２３１ａ内に固定される膨張材取付部材７１によって中空部２３１ａ内に配置されている。膨張材取付部材７１は、図６に示すように、加熱膨張材６１が配置される膨張材配置部７１ａと、中空部２３１ａに固定される固定部７１ｂと、膨張材配置部７１ａと平行に固定部７１ｂに連続する脚部７１ｃを有しており、全体として断面略Ｕ字状の金属製の曲げ部材により形成されている。なお、膨張材取付部材７１の形状は、上記実施形態のものに限定されるものではない。
【００２３】
膨張材取付部材７１の固定部７１ｂには、左竪框２３の中空部２３１ａに形成されたタッピングホール２３ａ，２３ａに対応する二つのネジ孔７１ｄ，７１ｄが形成されている。
そして、加熱膨張材６１が取り付けられた膨張材取付部材７１は、図７に示すように、左竪框２３に対して下框２２を連結するに際して、左竪框２３の中空部２３１ａ内のパネル間口側壁面に当接され、タッピングビスｂ１，ｂ１によって下框２２及び左竪框２３とともに共締めされることで、中空部２３１ａ内に固定されている。
【００２４】
左竪框２３の中空部２３１ａに共締め固定された膨張材取付部材７１の膨張材配置部７１ａは、図５（ｂ），図７に示すように、左竪框２３に形成された排水孔２３ｃの下端もしくは下端近傍に位置しており、膨張材取付部材７１の膨張材配置部７１ａに取付けられた加熱膨張材６１を排水孔２３ｃの下方位置に配置している。
【００２５】
一方、右竪框２４に配置される加熱膨張材６２は、中空部２４１ａ内に固定される膨張材取付部材７２によって中空部２４１ａ内に配置されている。膨張材取付部材７２は、図１０に示すように、加熱膨張材６２が配置される膨張材配置部７２ａと、中空部２４１ａに固定される固定部７２ｂを有しており、全体として断面略Ｌ字状の金属製の曲げ部材により形成されている。なお、膨張材取付部材７２の形状は、上記実施形態のものに限定されるものではない。
【００２６】
膨張材取付部材７２の固定部７２ｂには、右竪框２４の中空部２４１ａに形成されたタッピングホール２４ａ，２４ａに対応する二つのネジ孔７２ｄ，７２ｄが形成されている。
そして、加熱膨張材６２が取り付けられた膨張材取付部材７２は、図１１に示すように、右竪框２４に対して下框２２を連結するに際して、右竪框２４の中空部２４１ａ内のパネル間口側壁面に当接され、タッピングビスｂ１，ｂ１によって下框２２及び右竪框２４とともに共締めされることで、中空部２４１ａ内に固定されている。
【００２７】
右竪框２４の中空部２４１ａに共締め固定された膨張材取付部材７２の膨張材配置部７２ａは、図９（ｂ），図１１に示すように、右竪框２４に形成された排水孔２４ｃの下端もしくは下端近傍に位置しており、膨張材取付部材７２の膨張材配置部７２ａに取付けられた加熱膨張材６２を排水孔２３ｃの下方位置に配置している。
【００２８】
以上のように、本実施形態の防火建具によれば、左、右竪框２３，２４に下框２２がいんろう接合されており、下框２２のパネル間口を構成する中空部２２１ａの上壁には長手方向に沿って凹溝２２１ｅが形成されており、下框２２の端面が当接する左、右竪框２３，２４の下端部内周面に凹溝２２１ｅに対向するように排水孔２３ｃ，２４ｃが形成されているので、下框２２のパネル間口に浸入した結露水等の水を左、右竪框２３，２４の下端からスムーズに排水することができる。
【００２９】
そして、左、右竪框２３，２４内には、火災時に膨張して排水孔２３ｃ，２３ｃを塞ぐように加熱膨張材６１，６２が配置されているので、火災時に排水孔２３ｃ，２４ｃを介してガスや煙等が浸入することを防ぐことができ、火災の延焼を抑制することができる。
【００３０】
また、左、右竪框２３，２４内に配置される加熱膨張材６１，６２は、左、右竪框２３，２４の中空部２３１ａ，２４１ａに固定される膨張材取付部材７１，７２の上面に配置されているので、膨張する加熱膨張材６１，６２を下方から支持することができ、排水孔２３ｃ，２４ｃの閉塞状態を確実に維持することができる。
【００３１】
さらに、加熱膨張材６１，６２が取り付けられた膨張材取付部材７１，７２は、左、右竪框２３，２４と下框２２とを連結するタッピングビスｂ１により固定されているので、膨張材取付部材７１，７２を固定するための取付部を設ける必要がなく、加熱膨張材６１，６２の位置決めを容易に行うことができる。
【００３２】
なお、以上の実施形態は，請求項に記載された発明を限定するものではなく，例示として取り扱われることは言うまでもない。
【符号の説明】
【００３３】
１        ：枠体
２        ：障子
２２      ：下框
２２ａ    ：タッピングホール
２２１    ：下框本体
２２１ａ  ：中空部
２２１ｂ  ：室外側間口壁部
２２１ｅ  ：凹溝
２２２    ：押縁材
２３１    ：左竪框本体
２３      ：左竪框
２３ａ    ：タッピングホール
２３ｂ    ：挿入孔
２３ｃ    ：排水孔
２３１ａ  ：中空部
２３１ｂ  ：室外側間口壁部
２３１ｃ  ：室外側壁
２３１ｄ  ：押縁係止部
２３２    ：押縁材
２４      ：右竪框
２４ａ    ：タッピングホール
２４ｂ    ：挿入孔
２４ｃ    ：排水孔
６１      ：加熱膨張材
６２      ：加熱膨張材
７１      ：膨張材取付部材
７２      ：膨張材取付部材
ｂ１      ：タッピングビス
【図１】
2019190116.tif 000003
【図２】
2019190116.tif 000004
【図３】
2019190116.tif 000005
【図４】
2019190116.tif 000006
【図５】
2019190116.tif 000007
【図６】
2019190116.tif 000008
【図７】
2019190116.tif 000009
【図８】
2019190116.tif 000010
【図９】
2019190116.tif 000011
【図１０】
2019190116.tif 000012
【図１１】
2019190116.tif 000013